(57)【要約】【課題】  本発明の目的は、患者の骨を余分に削ることなく、必要量を容易に短時間で除去することにより歯槽骨への埋入及び初期固定を容易且つ確実にし、インプラントを植立後、沈下することがないようにして、初期固定後直ちに義歯を装着できる状態を実現することにある。【解決手段】  本発明の歯科用インプラントは、骨内にインプラントのボディ部を植立し、骨上にインプントのヘッド部を突出させる歯科用インプラントで、骨内に植立するインプラントは頚部を介して天然歯の形態を扁平にしたような形状を有し、その中央部にはインプラントのボディ部の外形を小さくした形の貫通孔を設ける。またヘッド部とボディ部の間に頚部を設け、その頚部はインプラントのボディ部を埋入後歯槽骨上部の歯肉部に位置する。そしてボディ上部、頚部の下部の位置に円盤状のプレートを設けたものである。【選択図】図１
2010063853.tif 000002
【特許請求の範囲】
【請求項１】
骨内に植立されるインプラントのボディ部から歯肉内に位置する頚部を介して歯肉上に突出するインプラントのヘッド部からなる一体型の歯科用インプラントにおいて、インプラントのボディ部と頚部の間に、円板型のプレートをインプラントに対して水平の位置に持つことを特徴とする歯科用インプラント。
【発明の詳細な説明】
【技術分野】
【０００１】  本発明は、歯科用インプラントに関し、特に骨内に植立するインプラント体に関する。
【背景技術】
【０００２】  歯科用インプラントは欠損した歯を固定式の義歯により補綴するために歯槽骨内に植立し、義歯のための人工歯根として利用される。【０００３】  従来の歯科用インプラントは、歯槽骨内に植立される円柱形のボディと、このボディ上部にねじ固定された柱状のヘッドから構成され、上部義歯はそのヘッドにねじによって固定されるタイプと、歯槽骨内に植立されるブレード状のボディと、歯槽骨上に突出した柱状のヘッドから構成され、上部義歯はそのヘッドにセメント合着するタイプがある。【０００４】  円柱形のボディを有するインプラントは、歯槽骨にインプラントが結合し、早期に上部義歯を固定するためには、骨内に円柱形のボディと同じ直径の穴を掘削し、その空洞に正確に適合させることによって初期固定を計り、その後歯槽骨内の骨組織が増殖し、その新生骨とインプラントが結合されるのを待っていた。【０００５】  ブレード状のボディを有するインプラントは、埋入にあたって切削器具を用いて、インプラントボディと同じ大きさの溝を掘削、ここにインプラントをマレット等を用い叩打することでインプラントボディを嵌挿し摩擦結合による初期固定を先ず得て、その後歯槽骨内の骨組織が増殖し、その新生骨とインプラントが結合されるのを待っていた。【０００６】  こうして植立されたインプラントのヘッド部に、上部義歯を固定して口腔内で咀嚼機能などを回復実現させるわけであるが、しかしながら上記従来のインプラントには次のような問題点があった。【０００７】  まず、円柱形のボディを有するインプラントでは、インプラントを植立するための穴開けの作業は、患者の口腔内で行われるために熟練を要し、インプラントよりも穴が小さくなった場合はインプラントを埋入できず、無理に入れると圧力によってインプラントの周囲の骨組織の虚血を招き、骨が部分的に壊死しインプラントと骨の結合が危うくなる。逆に穴が大きくなった場合、インプラントが動揺し、確実な初期固定を得ることが出来ず、歯槽骨に骨接合されずにインプラントがはずれることがある。【０００８】  また、円柱形のねじ型インプラントの場合は、歯槽骨へねじ込みの際にかかる力のため、インプラント周囲骨の吸収が起こりやすく、骨接合するまでの時間が長くかかった。さらに骨の状態によっては、穴を深く空けすぎて神経を損傷するリスクを伴った。【０００９】  ブレード状のボディを有するインプラントでは、インプラントを確実に初期固定するためには、インプラントと同じ大きさの溝を歯槽骨に掘削する必要があるが、この溝開けの作業は患者の口腔内で行われる為に困難を伴い、インプラントに比べて溝が小さい場合はインプラントの嵌挿が困難になる。逆に溝が幾分大きい場合は、嵌挿時に期待される摩擦抵抗が弱くなり、インプラントボディの下部は歯槽骨の中の軟らかい海綿骨内に埋入するために、嵌挿時にマレット等の叩打によりインプラントが必要以上に骨内に沈下する恐れがあった。また、上部義歯を装着した後も継続してかかる咬合圧によりインプラントが動揺沈下するリスクもあった。
【発明の開示】
【発明が解決しようとする課題】
【００１０】  したがって本発明の課題は、熟練を要することなくインプラントを植立する箇所の骨を必要量だけ除去し、インプラントを必要以上に沈下させることなく容易に植立することで初期固定を確実にし、その後の上部義歯を固定後の咬合により発生する、インプラントへ加わる力を緩和することでインプラントの動揺、沈下を防ぎ長期に口腔内で機能する確立の高いインプラントを提供することにある。
【課題を解決するための手段】
【００１１】  本発明の歯科用インプラントは、上記の２種類のインプラントの中のブレード状のボディを有するインプラントを先行技術とする。【００１２】  本発明のインプラントは、骨内にボディ部を植立し、骨上に頚部を介してヘッド部を突出させる一体型のインプラントで、骨内に植立するボディ部は天然歯の前歯、及び小臼歯の歯根の形態を扁平にした形状を有し、ボディ先端部分の３分の１から先端部に向かって厚みが薄く、幅がせまくなるように構成され、ボディ部にボディの外形と同じ形の貫通孔を設けている。さらに、ボディ上部、頚部下部にあたる部分に円形のプレートをインプラント体にたいして水平の位置に設けたものである。
【発明の効果】
【００１３】  本発明のインプラントを骨内に植立するときに、骨を削り取るために円形の切削器具を使用する。この切削器具の切削刃の直径がインプラントのボディ部の厚みと同じ大きさのものを使用することにより、切削器具によって削り取られて形成された溝の厚みがインプラントのボディ部と同じ厚みになり、埋植するインプラントのボディ部と適合する最適な溝となる。ここにマレット等を用い叩打によりインプラントのボディ部を嵌挿し摩擦結合による初期固定を先ず得て、その後歯槽骨内の骨組織が増殖し、その新生骨とインプラントが結合されるのを待つ。従来、患者の口腔内という条件の中で高度な技術を要求された骨の切削条件が緩和され、短時間で容易に失敗のない施術が可能になる。【００１４】  インプラントのボディ部が先端に向かうにしたがい厚みを薄く、幅をせまくしたいわゆる先細りとなるように構成されているので、マレット等で叩打して嵌挿する際に、歯槽骨に過剰な負荷を与えることなくボディ先端が骨にくい込むことでインプラントの固定が図れる。【００１５】  そして、ボディ部と頚部の間に付与した円盤状のプレートが歯槽骨と歯肉との間、すなわち骨上にあって、埋植時に危惧されるインプラントの骨内への沈下を防止するストッパーの役割を果たす。さらに後に上部義歯を装着することによりインプラントにかかる咬合圧を、この円板状のプレートが歯槽骨上で緩和分散することで、骨内に位置するインプラントのボディ部へかかる負荷が軽減され、インプラントの動揺及び沈下を防止してインプラントの長期的な安定を得ることができる。【００１６】  また、インプラント植立後、骨が再生成長する過程でインプラントのボディ部に設けた貫通孔が再生した骨で埋められることでインプラントの保持がより強固になる。
【発明を実施するための最良の形態】
【００１７】  図中、符号１は本発明のインプラントである。このインプラント１は義歯を支持するためのヘッド２と、歯槽骨に掘削される溝の中に嵌挿されるボディ３、ヘッドとボディを継ぐ頚部４及びボディと頚部の間に位置する円板状のプレート５から構成される。
尚、本発明のインプラントは生体親和性に優れ、強度、耐食性、耐薬品性に優れた純チタン、及びチタン系合金でによってつくられる。【００１８】  柱状のインプラントヘッド２はヘッド上部２ａからヘッド下部２ｂに向かって次第に太くなるように形成する。インプラントヘッド下部２ｂにはインプラントヘッド２と円板状のプレート５を移行的に繋ぐ頚部４が形成される。その形状はとくに限定されるものではなく、歯槽骨Ｂ上の歯肉Ａの厚みに適した長さを持ち強度に優れた形態であればよい。【００１９】  インプラントボディ３はプレート５から天然歯の歯根の形態を扁平にした形状で、ボディ上部３ａは厚みを均一にし、ボディ下部３ｂは先端に向かって先細りになるようにテーパーを設ける。これによりインプラントボディ３ａが緻密骨と摩擦抵抗により固定され、インプラントボディ３ｂが海綿骨Ｄに食い込みことで、歯槽骨内でインプラントボディ３が安定し初期固定が容易になる。【００２０】またインプラントボディ３の中央部には、インプラントボディ３の外形とおなじ形の貫通孔６を設け、この貫通孔６を再生成長した骨が埋めることで、インプラントの保持がより強固になる。
【実施例】
【００２１】  本発明のインプラントを歯槽骨Ｂに植立するには、歯肉Ａの下部に位置する緻密骨Ｃ、海綿骨Ｄをインプラントボディ上部３ａ部の厚みと同じ直径の切削器具（特に図示せず）で削る。このような切削器具を用いて、緻密骨Ｃ、海綿骨Ｄをインプラントボディ３ａと同じ厚みと幅の溝を削る。またインプラントボディ下部３ｂが嵌挿される海綿骨の部分は、インプラントボディの形状にあわせて、先端に向かって細くなるように削る。その際に溝の深さを、インプラントボディの長さより少し短くする。その後、マレット等を用い叩打によりインプラントを嵌挿し、緻密骨との摩擦結合と、切削器具を用いての溝形成による負担や損傷のない海綿骨Ｄ中に先端部を食い込ませる事によって安定を図る。【００２２】  インプラントをマレット等で叩打して歯槽骨内に嵌挿するが、その時にプレート５が歯槽骨上に位置することでインプラントの必要以上の骨内への沈下を防止できる。またこのプレート５を設けることで、上部義歯を装着後にインプラントにかかる咬合圧を、プレート５によって骨上にも分散させることが可能になり、インプラントボディ３の先端部へ集中する咬合圧の負荷を軽減することができる。
【産業上の利用可能性】
【００２３】  本発明は、歯科用インプラントに関し、特にインプラント体形態の改良に関する。
【図面の簡単な説明】
【００２４】
【図１】  本発明のインプラントの斜視図
【図２】  本発明のインプラントの歯槽骨への植立後の側面図
【符号の説明】
【００２５】  １      インプラント
２      ヘッド
３      ボディ
４      頚部
５      プレート
６      貫通孔
２ａ    ヘッド上部
２ｂ    ヘッド下部
３ａ    ボディ上部
３ｂ    ボディ下部
Ａ      歯肉
Ｂ      歯槽骨
Ｃ      緻密骨
Ｄ      海綿骨
【図１】
2010063853.tif 000003
【図２】
2010063853.tif 000004
【手続補正書】
【提出日】平成21年8月5日(2009.8.5)
【手続補正１】
【補正対象書類名】明細書
【補正対象項目名】全文
【補正方法】変更
【補正の内容】
【発明の詳細な説明】
【技術分野】
【０００１】  本発明は、歯科用インプラントに関し、特に骨内に植立するインプラント体に関する。
【背景技術】
【０００２】  歯科用インプラントは欠損した歯を固定式の義歯により補綴するために歯槽骨内に植立し、義歯のための人工歯根として利用される。【０００３】  従来の歯科用インプラントは、歯槽骨内に植立される円柱形のボディと、このボディ上部にねじ固定された柱状のヘッドから構成され、上部義歯はそのヘッドとねじによって固定されるタイプと、歯槽骨内に植立されるブレード状のボディと、歯槽骨上に突出した柱状のヘッドから構成され、上部義歯はそのヘッドにセメント合着するタイプがある。【０００４】  円柱形のボディを有するインプラントは、歯槽骨にインプラントが結合し、早期に上部義歯を固定するためには、骨内に円柱形のボディと同じ直径の穴を掘削し、その空洞に正確に適合させることによって初期固定を計り、その後歯槽骨内の骨組織が増殖し、その新生骨とインプラントが結合されるのを待っていた。【０００５】  ブレード状のボディを有するインプラントは、埋入にあたって切削器具を用いて、インプラントボディと同じ大きさの溝を掘削、ここにインプラントをマレット等を用い叩打することでインプラントボディを嵌挿し摩擦結合による初期固定を先ず得て、その後歯槽骨内の骨組織が増殖し、その新生骨とインプラントが結合されるのを待っていた。【０００６】  こうして植立されたインプラントのヘッド部に、上部義歯を固定して口腔内で咀嚼機能などを回復実現させるわけであるが、しかしながら上記従来のインプラントには次のような問題点があった。【０００７】  まず、円柱形のボディを有するインプラントでは、インプラントを植立するための穴開けの作業は、患者の口腔内で行われるために熟練を要し、インプラントよりも穴が小さくなった場合はインプラントを埋入できず、無理に入れると圧力によってインプラントの周囲の骨組織の虚血を招き、骨が部分的に壊死しインプラントと骨の結合が危うくなる。逆に穴が大きくなった場合、インプラントが動揺し、確実な初期固定を得ることが出来ず、歯槽骨に骨接合されずにインプラントがはずれることがある。【０００８】  また、円柱形のねじ型インプラントの場合は、歯槽骨へねじ込みの際にかかる力のため、インプラント周囲骨の吸収が起こりやすく、骨接合するまでの時間が長くかかった。さらに骨の状態によっては、穴を深く空けすぎて神経を損傷するリスクを伴った。【０００９】  ブレード状のボディを有するインプラントでは、インプラントを確実に初期固定するためには、インプラントと同じ大きさの溝を歯槽骨に掘削する必要があるが、この溝開けの作業は患者の口腔内で行われる為に困難を伴い、インプラントに比べて溝が小さい場合はインプラントの嵌挿が困難になる。逆に溝が幾分大きい場合は、嵌挿時に期待される摩擦抵抗が弱くなり、インプラントボディの下部は歯槽骨の中の軟らかい海綿骨内に埋入するために、嵌挿時にマレット等の叩打によりインプラントが必要以上に骨内に沈下する恐れがあった。また、上部義歯を装着した後も継続してかかる咬合圧によりインプラントが動揺沈下するリスクもあった。
【発明の開示】
【発明が解決しようとする課題】
【００１０】  したがって本発明の課題は、熟練を要することなくインプラントを植立する箇所の骨を必要量だけ除去し、インプラントを必要以上に沈下させることなく容易に植立することで初期固定を確実にし、その後の上部義歯を固定後の咬合により発生する、インプラントへ加わる力を緩和することでインプラントの動揺、沈下を防ぎ長期に口腔内で機能する確立の高いインプラントを提供することにある。
【課題を解決するための手段】
【００１１】  本発明の歯科用インプラントは、上記の２種類のインプラントの中のブレード状のボディを有するインプラントを先行技術とする。【００１２】  本発明のインプラントは、骨内にボデイ部を植立し、骨上に頚部を介してヘッド部を突出させる一体型のインプラントで、骨内に植立するボデイ部は天然歯の前歯、小臼歯の歯根の形態を扁平にしたような形状、及びボディ部の先端部分を円形の板状にした形状を有し、ボデイ先端部分の３分の１から先端部に向かって厚みが薄くなるように構成され、ボディ部には貫通孔を設けている。さらに、ボディ上部、頚部下部にあたる部分に円形のプレートをインプラント体に対して水平の位置に設けたものである。
【発明の効果】
【００１３】  本発明のインプラントを骨内に植立するときに、骨を削り取るために円形の切削器具を使用する。この切削器具の切削刃の直径がインプラントのボディ部の厚みと同じ大きさのものを使用することにより、切削器具によって削り取られて形成された溝の厚みがインプラントのボディ部と同じ厚みになり、埋植するインプラントのボディ部と適合する最適な溝となる。ここにマレット等を用い叩打によりインプラントのボディ部を嵌挿し摩擦結合による初期固定を先ず得て、その後歯槽骨内の骨組織が増殖し、その新生骨とインプラントが結合されるのを待つ。従来、患者の口腔内という条件の中で高度な技術を要求された骨の切削条件が緩和され、短時間で容易に失敗のない施術が可能になる。【００１４】インプラントのボディ部が先端に向かうにしたがい厚みが薄くなるように構成されているので、マレット等で叩打して嵌挿する際に、歯槽骨に過剰な負担を与えることなくボディ部先端が骨にくい込むことでインプラントの固定が図れる。【００１５】  そして、ボディ部と頚部の間に付与した円板状のプレートが歯槽骨と歯肉との間、すなわち骨状にあって、埋植時に危惧されるインプラントの骨内への沈下を防止するストッパーの役割を果たす。さらに後に上部義歯を装着することによりインプラントにかかる咬合圧を、この円板状のプレートが歯槽骨上で緩和分散することで、骨内に位置するインプラントのボディ部へかかる負荷が軽減され、インプラントの動揺及び沈下を防止してインプラントの長期的な安定を得ることができる。【００１６】  また、インプラント植立後、骨が再生成長する過程でインプラントのボディ部に設けた貫通孔が再生した骨で埋められることでインプラントの保持がより強固になる。
【発明を実施するための最良の形態】
【００１７】  図中、符号１は本発明のインプラントである。このインプラント１は義歯を支持するためのヘッド２と、歯槽骨に掘削された溝の中に嵌挿されるボディ３、ヘッドとボディを継ぐ頚部４及びボディと頚部の間に位置する円板状のプレート５から構成される。
尚、本発明のインプラントは生体親和性に優れ、強度、耐食性、耐薬品性に優れた純チタン、及びチタン系合金によってつくられる。【００１８】  柱状のインプラントヘッド２はヘッド上部２ａからヘッド下部２ｂに向かって次第に太くなるように形成する。インプラントヘッド下部２ｂにはインプラントヘッド２と円板状のプレート５を移行的に繋ぐ頚部４が形成される。その形状はとくに限定されるのもではなく、歯槽骨Ｂ上の歯肉Ａの厚みに適した長さを持ち強度に優れた形態であればよい。【００１９】インプラントボディ３はプレート５から天然歯の歯根の形態を扁平にした形状、及びボディ部の先端部を円形の板状にした形態でボディ上部３ａは厚みを均一にし、ボディ下部３ｂは先端に向かって厚みが薄くなるようにテーパーを設ける。これによりインプラントボディ３ａが緻密骨と摩擦抵抗により固定され、インプラントボディ３ｂが海綿骨Ｄにくい込むことで、歯槽骨内でインプラントボディ３が安定し初期固定が容易になる。【００２０】またインプラントボディ３の中央部には、貫通孔６を設け、この貫通孔６を再生成長した骨が埋めることで、インプラントの保持がより強固になる。【００２１】  本発明のインプラントを歯槽骨Ｂに植立するには、歯肉Ａの下部に位置する緻密骨Ｃ、海綿骨Ｄをインプラントボディ上部３ａ部の厚みと同じ直径の切削器具（特に図示せず）で削る。このような切削器具を用いて、緻密骨Ｃ、海綿骨Ｄをインプラントボディ３ａと同じ厚みと幅の溝を形成する。またインプラントボディ下部３ｂが嵌挿される海綿骨の部分は、インプラントボディの形状に合わせて、先端に向かって薄くなるように削る。その後マレット等を用い叩打によりインプラントを嵌挿し、歯槽骨との摩擦結合によって安定を図る。【００２２】  インプラントをマレット等で叩打して歯槽骨内に嵌挿するが、その時にプレート５が歯槽骨上に位置することでインプラントの必要以上の骨内への沈下を防止できる。またプレート５を設けることで、上部義歯を装着後にインプラントにかかる咬合圧を、プレート５によって骨上にも分散させることが可能になり、インプラントボディ３の先端部へ集中する咬合圧の負荷を軽減させることができる。【００２３】  本発明は、歯科用インプラントに関し、特にインプラント体形態の改良に関する。
【図面の簡単な説明】
【００２４】
【図１】  本発明のインプラントの斜視図
【図２】  本発明のインプラントの歯槽骨への植立後の側面図
【図３】  本発明のインプラントの斜視図２
【符号の説明】
【００２５】  １      インプラント
２      ヘッド
３      ボディ
４      頚部
５      プレート
６      貫通孔
２ａ    ヘッド上部
２ｂ    ヘッド下部
３ａ    ボディ上部
３ｂ    ボディ下部
Ａ      歯肉
Ｂ      歯槽骨
Ｃ      緻密骨
Ｄ      海綿骨
【手続補正２】
【補正対象書類名】図面
【補正対象項目名】全図
【補正方法】変更
【補正の内容】
【図１】
2010063853.tif 000005
【図２】
2010063853.tif 000006
【図３】
2010063853.tif 000007